(57)【要約】      （修正有）【課題】ＳＩＭへのエンベロープアップデート（すなわち、ＳＩＭアップデートを備えるエンベロープコマンド）のスケジューリングを改善する。【解決手段】ワイヤレス通信のための装置（例えば、モバイルデバイス）は、１つ以上のエンベロープコマンドにおいて複数のアップデート（例えば、ＳＩＭアップデート）を受信する（５０２）ことと、アップデートを、それぞれの優先度を有する複数のグループに分類する（５０４）ことと、それぞれの優先度に従った順序で、装置（例えば、モバイルデバイス）においてアップデートをＳＩＭに送信する（５０６）ことと、を行うように構成される。【選択図】図５
2019009795.tif 000002
【特許請求の範囲】
【請求項１】
モバイルデバイスにおいて動作可能なワイヤレス通信の方法であって、前記方法は、
１つ以上のエンベロープコマンドにおいて複数のアップデートを受信することと、
前記アップデートを、それぞれの優先度を有する複数のグループに分類することと、
前記それぞれの優先度に従った順序で、前記モバイルデバイスにおいて前記アップデートをＳＩＭに送信することと
を備える、方法。
【請求項２】
前記アップデートの受信順序は、前記アップデートの送信順序とは異なる、請求項１に記載の方法。
【請求項３】
前記複数のアップデートは、第１のアップデートと、前記第１のアップデートの後に受信された第２のアップデートとを備え、前記第２のアップデートは、前記第１のアップデートのものよりも高い優先度を有し、
前記アップデートを前記送信することは、前記第１のアップデートを前記ＳＩＭに送信する前に、前記第２のアップデートを送信することを備える、
請求項２に記載の方法。
【請求項４】
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、請求項１に記載の方法。
【請求項５】
前記アップデートを前記分類することは、前記取得に関連するグループ、前記ＵＩインタラクションに関連するグループ、前記ネットワークインタラクションに関連するグループ、前記ネットワークステータスに関連するグループ、および前記第１のグループの順序で、最も高いものから最も低いものへと前記グループの前記優先度を分類することを備える、請求項４に記載の方法。
【請求項６】
前記取得に関連するグループにおける前記アップデートは、呼設定のための呼制御と、アタッチ制御とを備える、請求項４に記載の方法。
【請求項７】
前記ＵＩインタラクションに関連するグループにおける前記アップデートは、メニュー選択と、言語選択とを備える、請求項４に記載の方法。
【請求項８】
前記ネットワークインタラクションに関連するグループにおける前記アップデートは、
ＳＭＳポイント・ツー・ポイントダウンロードイベントと、
呼接続イベントと、
呼切断イベントと、
モバイル着信呼イベントと、
ＳＩＭカードによって開始される、埋め込まれたデータ呼に利用可能なデータと、
ＳＩＭカードによって開始される、埋め込まれたデータ呼のステータスのためのチャネルステータスイベントと
を備える、請求項４に記載の方法。
【請求項９】
前記ネットワークステータスに関連するグループにおける前記アップデートは、アクセス技術変更イベントと、ロケーションステータスイベントとを備える、請求項４に記載の方法。
【請求項１０】
前記ロケーションステータスイベントは、通常のサービス、制限されたサービス、およびサービスがないことを備える、請求項９に記載の方法。
【請求項１１】
前記第１のグループは、ブラウジングステータスイベントと、フレーム情報変更イベントとを備える、請求項４に記載の方法。
【請求項１２】
ワイヤレス通信のための装置であって、
１つ以上のエンベロープコマンドにおいて複数のアップデートを受信するための手段と、
前記アップデートを、それぞれの優先度を有する複数のグループに分類するための手段と、
前記それぞれの優先度に従った順序で、前記装置において前記アップデートをＳＩＭに送信するための手段と
を備える、装置。
【請求項１３】
前記装置は、前記アップデートの受信順序が前記アップデートの送信順序とは異なるように構成される、請求項１２に記載の装置。
【請求項１４】
前記複数のアップデートは、第１のアップデートと、前記第１のアップデートの後に受信された第２のアップデートとを備え、前記第２のアップデートは、前記第１のアップデートのものよりも高い優先度を有し、
前記アップデートを前記送信するための手段は、前記第１のアップデートを前記ＳＩＭに送信する前に、前記第２のアップデートを送信するように構成される、
請求項１３に記載の装置。
【請求項１５】
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、請求項１２に記載の装置。
【請求項１６】
前記装置は、
前記取得に関連するグループ、前記ＵＩインタラクションに関連するグループ、前記ネットワークインタラクションに関連するグループ、前記ネットワークステータスに関連するグループ、および前記第１のグループ
の順序で、最も高いものから最も低いものへと前記グループの前記優先度を分類するように構成される、請求項１５に記載の装置。
【請求項１７】
前記取得に関連するグループにおける前記アップデートは、呼設定のための呼制御と、アタッチ制御とを備える、請求項１５に記載の装置。
【請求項１８】
前記ＵＩインタラクションに関連するグループにおける前記アップデートは、メニュー選択と、言語選択とを備える、請求項１５に記載の装置。
【請求項１９】
前記ネットワークインタラクションに関連するグループにおける前記アップデートは、
ＳＭＳポイント・ツー・ポイントダウンロードイベントと、
呼接続イベントと、
呼切断イベントと、
モバイル着信（ＭＴ）呼イベントと、
ＳＩＭカードによって開始される、埋め込まれたデータ呼に利用可能なデータと、
ＳＩＭカードによって開始される、埋め込まれたデータ呼のステータスのためのチャネルステータスイベントと
を備える、請求項１５に記載の装置。
【請求項２０】
前記ネットワークステータスに関連するグループにおける前記アップデートは、アクセス技術変更イベントと、ロケーションステータスイベントとを備える、請求項１５に記載の装置。
【請求項２１】
前記ロケーションステータスイベントは、通常のサービス、制限されたサービス、およびサービスがないことを備える、請求項２０に記載の装置。
【請求項２２】
前記第１のグループは、ブラウジングステータスイベントと、フレーム情報変更イベントとを備える、請求項１５に記載の装置。
【請求項２３】
コンピュータ読取可能な記憶媒体を備えるコンピュータプログラム製品であって、前記コンピュータ読取可能な記憶媒体は、モバイルデバイスに、
１つ以上のエンベロープコマンドにおいて複数のアップデートを受信することと、
それぞれの優先度を有する複数のグループに前記アップデートを分類することと、
前記それぞれの優先度に従った順序で、前記モバイルデバイスにおいて前記アップデートをＳＩＭに送信することと
を行わせるためのコードを備える、コンピュータプログラム製品。
【請求項２４】
前記アップデートの受信順序は、前記アップデートの送信順序とは異なる、請求項２３に記載のコンピュータプログラム製品。
【請求項２５】
前記複数のアップデートは、第１のアップデートと、前記第１のアップデートの後に受信された第２のアップデートとを備え、前記第２のアップデートは、前記第１のアップデートのものよりも高い優先度を有し、
前記アップデートを前記送信することは、前記第１のアップデートを前記ＳＩＭに送信する前に、前記第２のアップデートを送信することを備える、
請求項２４に記載のコンピュータプログラム製品。
【請求項２６】
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、請求項２３に記載のコンピュータプログラム製品。
【請求項２７】
前記コードは、前記ＵＥに、
前記取得に関連するグループ、前記ＵＩインタラクションに関連するグループ、前記ネットワークインタラクションに関連するグループ、前記ネットワークステータスに関連するグループ、および前記第１のグループ
の順序で、最も高いものから最も低いものへと前記グループの前記優先度を分類することを行わせる、請求項２６に記載のコンピュータプログラム製品。
【請求項２８】
前記取得に関連するグループにおける前記アップデートは、呼設定のための呼制御と、アタッチ制御とを備える、請求項２６に記載のコンピュータプログラム製品。
【請求項２９】
前記ＵＩインタラクションに関連するグループにおける前記アップデートは、メニュー選択と、言語選択とを備える、請求項２６に記載のコンピュータプログラム製品。
【請求項３０】
前記ネットワークインタラクションに関連するグループにおける前記アップデートは、
ＳＭＳ−ＰＰダウンロードイベントと、
呼接続イベントと、
呼切断イベントと、
モバイル着信呼イベントと、
ＳＩＭカードによって開始される、埋め込まれたデータ呼に利用可能なデータと、
ＳＩＭカードによって開始される、埋め込まれたデータ呼のステータスのためのチャネルステータスイベントと
を備える、請求項２６に記載のコンピュータプログラム製品。
【請求項３１】
前記ネットワークステータスに関連するグループにおける前記アップデートは、アクセス技術変更イベントと、ロケーションステータスイベントとを備える、請求項２６に記載のコンピュータプログラム製品。
【請求項３２】
前記ロケーションステータスイベントは、通常のサービス、制限されたサービス、およびサービスがないことを備える、請求項３１記載のコンピュータプログラム製品。
【請求項３３】
前記第１のグループは、ブラウジングステータスイベントと、フレーム情報変更イベントとを備える、請求項２６に記載のコンピュータプログラム製品。
【請求項３４】
ワイヤレス通信のための装置であって、
少なくとも１つのプロセッサと、
前記少なくとも１つのプロセッサに結合された通信インターフェースと、
前記少なくとも１つのプロセッサに結合されたメモリと
を備え、
前記少なくとも１つのプロセッサは、１つ以上のエンベロープコマンドにおいて複数のアップデートを受信することと、前記アップデートを、それぞれの優先度を有する複数のグループに分類することと、前記それぞれの優先度に従った順序で、前記装置において前記アップデートをＳＩＭに送信することと
を行うように構成される、装置。
【請求項３５】
前記少なくとも１つのプロセッサは、前記アップデートの送信順序とは異なる受信順序で前記アップデートを受信するように構成される、請求項３４に記載の装置。
【請求項３６】
前記複数のアップデートは、第１のアップデートと、前記第１のアップデートの後に受信された第２のアップデートとを備え、前記第２のアップデートは、前記第１のアップデートのものよりも高い優先度を有し、
前記少なくとも１つのプロセッサは、前記第１のアップデートを前記ＳＩＭに送信する前に、前記第２のアップデートを送信するように構成される、
請求項３５に記載の装置。
【請求項３７】
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、請求項３４に記載の装置。
【請求項３８】
前記少なくとも１つのプロセッサは、
前記取得に関連するグループ、前記ＵＩインタラクションに関連するグループ、前記ネットワークインタラクションに関連するグループ、前記ネットワークステータスに関連するグループ、および前記第１のグループ
の順序で、最も高いものから最も低いものへと前記グループの前記優先度を分類するように構成される、請求項３７に記載の装置。
【請求項３９】
前記取得に関連するグループにおける前記アップデートは、呼設定のための呼制御と、アタッチ制御とを備える、請求項３７に記載の装置。
【請求項４０】
前記ＵＩインタラクションに関連するグループにおける前記アップデートは、メニュー選択と、言語選択とを備える、請求項３７に記載の装置。
【請求項４１】
前記ネットワークインタラクションに関連するグループにおける前記アップデートは、
ＳＭＳポイント・ツー・ポイントダウンロードイベントと、
呼接続イベントと、
呼切断イベントと、
モバイル着信呼イベントと、
ＳＩＭカードによって開始される、埋め込まれたデータ呼に利用可能なデータと、
ＳＩＭカードによって開始される、埋め込まれたデータ呼のステータスについてのチャネルステータスイベントと
を備える、請求項３７に記載の装置。
【請求項４２】
前記ネットワークステータスに関連するグループにおける前記アップデートは、アクセス技術変更イベントと、ロケーションステータスイベントとを備える、請求項３７に記載の装置。
【請求項４３】
前記ロケーションステータスイベントは、通常のサービス、制限されたサービス、およびサービスがないことを備える、請求項４２に記載の装置。
【請求項４４】
前記第１のグループは、ブラウジングステータスイベントと、フレーム情報変更イベントとを備える、請求項３７に記載の装置。
【発明の詳細な説明】
【技術分野】
【０００１】
[0001]  本特許出願で述べられる技術は、一般に、ワイヤレス通信システムに関し、より具体的には、モバイル機器と１つ以上の加入者識別モジュール（「ＳＩＭ」）カードとの間の通信に関する。実施形態は、モバイル機器とＳＩＭ機器との間の通信を強化するためのスケジューリングメカニズムを使用可能にし、提供する。
【背景技術】
【０００２】
[0002]  ワイヤレス通信ネットワークは、電話通信、ビデオ、データ、メッセージング、ブロードキャストなどの様々な通信サービスを提供するために広く展開されている。通常は多元接続ネットワークであるこのようなネットワークは、利用可能なネットワークリソースを共有することによって複数のユーザのための通信をサポートする。このようなネットワークの一例は、ＵＭＴＳ地上波無線アクセスネットワーク（ＵＴＲＡＮ）である。ＵＴＲＡＮは、ユニバーサルモバイル電気通信システム（ＵＭＴＳ）の一部として定義された無線アクセスネットワーク（ＲＡＮ）であり、第３世代パートナーシッププロジェクト（３ＧＰＰ）によってサポートされる第３世代（３Ｇ）モバイル電話技術である。グローバルシステムフォーモバイルコミュニケーションズ（ＧＳＭ（登録商標））技術に取って代わる技術であるＵＭＴＳは、ワイドバンド符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）などの様々なエアインターフェース規格を現在はサポートする。ＵＭＴＳはまた、関連したＵＭＴＳネットワークに、より高いデータ転送スピードおよび容量を提供する、高速パケット接続（ＨＳＰＡ）などの機能強化された３Ｇデータ通信プロトコルもサポートする。
【０００３】
[0003]  ユニバーサル集積回路カード（ＵＩＣＣ）は、様々なワイヤレス通信ネットワーク内のモバイル機器において使用され得るスマートカードであり、モバイル機器がワイヤレスネットワークにアクセスするのを可能にするいくつかのアプリケーションを含み得る。例えば、３ＧＰＰ ＧＳＭおよびＵＭＴＳネットワークでは、ＵＩＣＣはＳＩＭアプリケーションおよび／またはＵＳＩＭアプリケーションを含み、３ＧＰＰ２ ＣＤＭＡネットワークでは、ＵＩＣＣはＣＳＩＭアプリケーションを含む。本開示では、１つ以上のアプリケーションを含むＵＩＣＣは、ＳＩＭと呼ばれ得る。
【０００４】
[0004]  モバイル機器（ＭＥ）は、ＳＩＭ−ＭＥインターフェースを介してＳＩＭカードと通信することができ、特定のエンベロープコマンドを利用する。これらのエンベロープコマンドは、モバイルデバイスがＳＩＭカードにＭＥについてのイベントおよびアップデートを通知することを可能にし得る。例えば、無線アクセス技術を変更する際、この変更はエンベロープコマンドを利用してＳＩＭに通知される。
【０００５】
[0005]  エンベロープコマンド内に、ＳＩＭに通知するためのいくつかのこのようなアップデートが同時に存在し得、またこれらのアップデートの各々は、受信された順序で送信される。すなわち、ＳＩＭは、一度に１つのアップデートのみを通知され得、そのアップデートへの応答の後にのみ受信され、それが次に送信されるアップデートとなる。ＳＩＭがビジーの応答コードでアップデートに応答する際、ＭＥは、エンベロープアップデートを再試行し、それは、次のエンベロープがＳＩＭに送信されるまでの３０秒以下の遅延となり得る。
【発明の概要】
【０００６】
[0006]  下記は、説明された技術の基本的な理解を提供するために本開示のいくつかの態様を要約するものである。この要約は、本開示に関する全ての考えられる特徴の広範な概観ではなく、本開示に関する全ての態様の主要なまたは重要なエレメントを特定することも、本開示の態様のいずれかまたは全ての範囲を線引きすることも意図されていない。その唯一の目的は、後に提示されるより詳細な説明への前置きとして、要約形式で本開示の１つ以上の態様のいくつかの概念を提示することである。
【０００７】
[0007]  本開示の態様は、ＳＩＭへのエンベロープアップデートのスケジューリングを改善し得る方法および装置に向けられる。一態様では、モバイルデバイスにおいて動作可能なワイヤレス通信の方法が提供される。方法は、１つ以上のエンベロープコマンドにおいて複数のアップデートを受信することと、アップデートを、それぞれの優先度を有する複数のグループに分類することと、それぞれの優先度に従った順序で、モバイルデバイスにおいてアップデートをＳＩＭに送信することと、を含む。
【０００８】
[0008]  本開示の別の態様は、無線通信のための装置を提供する。装置は、１つ以上のエンベロープコマンドにおいて複数のアップデートを受信するための手段と、アップデートを、それぞれの優先度を有する複数のグループに分類するための手段と、それぞれの優先度に従った順序で、装置においてアップデートをＳＩＭに送信するための手段と、を含む。
【０００９】
[0009]  本開示の別の態様は、コンピュータ読取可能な記憶媒体を含む、コンピュータプログラム製品を提供する。記憶媒体は、モバイルデバイスに、１つ以上のエンベロープコマンドにおいて複数のアップデートを受信することと、アップデートを、それぞれの優先度を有する複数のグループに分類することと、それぞれの優先度に従った順序で、モバイルデバイスにおいてアップデートをＳＩＭに送信することと、を行わせるためのコードを含む。
【００１０】
[0010]  本開示の別の態様は、無線通信のための装置を提供する。装置は、少なくとも１つのプロセッサと、少なくとも１つのプロセッサに結合された通信インターフェースと、少なくとも１つのプロセッサに結合されたメモリと、を含む。少なくとも１つのプロセッサは、１つ以上のエンベロープコマンドにおいて複数のアップデートを受信することと、アップデートを、それぞれの優先度を有する複数のグループに分類することと、それぞれの優先度に従った順序で、装置においてアップデートをＳＩＭに送信することと、を行うように構成される。
【００１１】
[0011]  本発明の他の態様、特徴、および実施形態は、添付図面とともに、本開示の詳細で例示的な実施形態の下記の説明を検討する際に、当業者に対して明らかになるだろう。本発明の特徴は、下記の特定の実施形態および図面に関連して説明され得るが、本発明の全ての実施形態は、本明細書で説明される有利な特徴の１つ以上を含み得る。言い換えれば、１つ以上の実施形態は、特定の有利な特徴を有しているとして説明され得るが、そのような特徴の１つ以上はまた、本明細書で説明される発明の様々な実施形態に従って使用され得る。同様の方法で、例示的な実施形態は、装置、システム、または方法の実施形態として下記で記載され得るが、そのような例示的な実施形態は、様々な装置、システム、および方法において実装され得ることが理解されるべきである。
【図面の簡単な説明】
【００１２】
【図１】[0012]  図１は、いくつかの実施形態に従った、テレコミュニケーションシステムの例を概念的に図示するブロック図である。
【図２】[0013]  図２は、いくつかの実施形態に従った、処理システムを用いる装置のためのハードウェアの実装の例を図示するブロック図である。
【図３】[0014]  図３は、いくつかの実施形態に従った、優先度に基づいて多数のイベントアップデートのスケジューリングを概念的に図示する図である。
【図４】[0015]  図４は、いくつかの実施形態に従った、イベントアップデートのグループおよびそれらの関連する優先度の例を図示する図である。
【図５】[0016]  図５は、いくつかの実施形態に従った、エンベロープコマンドにおけるイベントアップデートが優先度によってグループ分けされる、ユーザ機器において動作可能なワイヤレス通信の方法を図示するフローチャートである。
【図６】[0017]  図６は、いくつかの実施形態に従った、優先順位付けされたアップデートの処理のプロセスを図示するフローチャートである。
【図７】[0018]  図７は、いくつかの実施形態に従った、ワイヤレス通信のための装置の機能的ブロック図である。
【発明を実施するための形態】
【００１３】
[0019]  添付の図面に関連して下記で説明される詳細な説明は、様々な構成の説明として意図されるものであり、本明細書において説明される概念が実現され得る、唯一の構成を表すことが意図されるものではない。詳細な説明は、様々な概念の完全な理解を提供する目的で特定の詳細を含む。しかしながら、これらの概念がこれらの特定の詳細なしで実現され得ることは、当業者にとって明らかだろう。いくつかの事例では、周知の構造およびコンポーネントが、このような概念を曖昧にすることを避けるために、ブロック図形式で示される。
【００１４】
[0020]  本開示の態様は、ＳＩＭへのエンベロープアップデートのスケジューリングを改善し得る装置および方法に向けられる。ユーザ機器（ＵＥ）が、ＳＩＭのための待ち行列（queue）にいくつかのアップデートを有する場合に、他よりも高いタイムセンシティビティ（time sensitivity）を有するいくつかのアップデートがあり得る。例えば、ＬＴＥにおけるパケットデータネットワーク通信リクエストのための呼制御の通知は通常、言語選択アップデートよりも高いタイムセンシティビティを有する。別の例では、ユーザがＳＩＭツールキッドのメニューから項目を選択している際に、またアクセス技術変更エンベロープが時間の拡張期間（例えば、３０秒）の間に再試行されている際に、ユーザは、ＵＥ（例えば、携帯電話）が動かないためドライブをリセットすることを考え得る。このようなシナリオは、本開示の態様に従って、減少または避けられ得る。
【００１５】
[0021]  本開示を通して提示される様々な概念は、幅広い種類の電気通信システム、ネットワークアーキテクチャ、および通信規格にわたり実装され得る。図１を参照すると、制限されない実例として、本開示の様々な態様が、ユニバーサルモバイル電気通信システム（ＵＭＴＳ）システム１００に関連して図示される。ＵＭＴＳネットワークは、コアネットワーク１０４、無線アクセスネットワーク（ＲＡＮ）（例えば、ＵＭＴＳ地上波無線アクセスネットワーク（ＵＴＲＡＮ）１０２）、およびユーザ機器１１０の３つの相互に作用する領域を含む。この例では、ＵＴＲＡＮ １０２に利用可能ないくつかの動作間で、図示されたＵＴＲＡＮ １０２は、電話通信、ビデオ、データ、メッセージング、ブロードキャスト、および／または他のサービスを含む、様々なワイヤレスサービスを利用可能にするためにＷ−ＣＤＭＡエアインターフェースを用い得る。ＵＴＲＡＮ １０２は、ＲＮＣ １０６などのそれぞれの無線ネットワークコントローラ（ＲＮＣ）によって各々制御された、ＲＮＳ １０７などの複数の無線ネットワークサブシステム（ＲＮＳ）を含み得る。ここで、ＵＴＲＡＮ １０２は、図示されたＲＮＣ １０６およびＲＮＳ １０７に加えて、任意の数のＲＮＣ １０６およびＲＮＳ １０７を含み得る。ＲＮＣ １０６は特に、ＲＮＳ １０７内の無線リソースを割り当てること、再構成すること、および解放することを担う装置である。ＲＮＣ １０６は、任意の適切なトランスポートネットワークを使用して、直接物理接続（direct physical connection）、仮想ネットワークなどのような様々なタイプのインターフェースを通して、ＵＴＲＡＮ １０２内の他のＲＮＣ（図示されない）に相互接続され得る。
【００１６】
[0022]  ＲＮＳ １０７によってカバーされる地理的領域は、各セルにサービスする無線トランシーバ装置を有する、多数のセルに分割され得る。無線トランシーバ装置は通常、ＵＭＴＳアプリケーションにおいてノードＢと呼ばれるが、当業者によって、基地局（ＢＳ）、基地トランシーバ局（ＢＴＳ）、無線基地局、無線トランシーバ、トランシーバ機能、ベーシックサービスセット（ＢＳＳ）、拡張サービスセット（ＥＳＳ）、アクセスポイント（ＡＰ）、または何らかの他の適切な専門用語でも呼ばれ得る。明確化のために、各ＲＮＳ １０７に３つのノードＢ １０８が示されるが、ＲＮＳ １０７は、任意の数のワイヤレスノードＢを含み得る。ノードＢ １０８は、任意の数のモバイル装置についてのコアネットワーク１０４にワイヤレスアクセスポイントを提供する。モバイル装置の例は、セルラ電話、スマートフォン、セッション開始プロトコル（ＳＩＰ）電話、ラップトップ、ノートブック、ネットブック、スマートブック、携帯情報端末（ＰＤＡ）、衛星ラジオ、全地球測位システム（ＧＰＳ）デバイス、マルチメディアデバイス、ビデオデバイス、デジタルオーディオプレイヤ（例えば、ＭＰ３プレイヤ）、カメラ、ゲーム機器、または任意の他の同様の機能を有するデバイスを含む。モバイル装置は通常、ＵＭＴＳアプリケーションにおいてユーザ機器（ＵＥ）と呼ばれるが、当業者によって、モバイル局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な専門用語でも呼ばれ得る。ＵＭＴＳシステムでは、ＵＥ １１０は、ユニバーサル加入者識別モジュール（ＵＳＩＭ）１１１を含み得、それは、ネットワークへのユーザの加入情報を含む。ＵＳＩＭは、本開示においてＳＩＭカードと呼ばれ得る。説明のための目的で、１つのＵＥ １１０は、多数のノードＢ １０８と通信して示される。ダウンリンク（ＤＬ）は、順方向リンクとも呼ばれ、ノードＢ １０８からＵＥ １１０への通信リンクを指し、アップリンク（ＵＬ）は、逆方向リンクとも呼ばれ、ＵＥ １１０からノードＢ １０８への通信リンクを指す。
【００１７】
[0023]  コアネットワーク１０４は、ＵＴＲＡＮ １０２などの１つ以上のアクセスネットワークとインターフェースし得る。示されるように、コアネットワーク１０４は、ＵＭＴＳコアネットワークである。しかしながら、当業者が理解するように、本開示全体を通して提示される様々な概念は、ＵＭＴＳネットワーク以外の数タイプのコアネットワークにアクセスを有するＵＥを提供するために、ＲＡＮまたは他の適切な接続ネットワークに実装され得る。
【００１８】
[0024]  図示されたＵＭＴＳコアネットワーク１０４は、回線交換（ＣＳ）領域およびパケット交換（ＰＳ）領域を含む。いくつかの回線交換エレメントは、モバイルサービス交換センタ（ＭＳＣ：Mobile services Switching Centre）、ビジタロケーションレジスタ（ＶＬＲ：Visitor Location Register）、およびゲートウェイＭＳＣ（ＧＭＳＣ）である。パケット交換エレメントは、サービングＧＰＲＳサポートノード（ＳＧＳＮ）およびゲートウェイＧＰＲＳサポートノード（ＧＧＳＮ）を含む。ＥＩＲ、ＨＬＲ、ＶＬＲ、およびＡｕＣのようないくつかのネットワークエレメントは、回線交換およびパケット交換領域の両方で共有され得る。
【００１９】
[0025]  図示された例では、コアネットワーク１０４は、ＭＳＣ １１２およびＧＭＳＣ １１４を有する回線交換サービスをサポートする。いくつかのアプリケーションでは、ＧＭＳＣ １１４は、メディアゲートウェイ（ＭＧＷ）と呼ばれ得る。ＲＮＣ １０６などの１つまたは複数のＲＮＣは、ＭＳＣ １１２に接続され得る。ＭＳＣ １１２は、呼設定、呼ルーティング、およびＵＥモビリティ機能を制御する装置である。ＭＳＣ １１２はまた、ＵＥがＭＳＣ １１２のカバレッジエリア内にある継続期間の間、加入者に関連した情報を含むビジタロケーションレジスタ（ＶＬＲ）を含む。ＧＭＳＣ １１４は、ＵＥが回線交換ネットワーク１１６にアクセスするためにＭＳＣ １１２を通してゲートウェイを提供する。ＧＭＳＣ １１４は、特定のユーザが加入しているサービスの詳細を反映しているデータなどの、加入者データを含んでいるホームロケーションレジスタ（ＨＬＲ）１１５を含む。ＨＬＲはまた、加入者固有の認証データを含む認証センタ（ＡｕＣ）と関連付けられる。特定のＵＥについて呼出が受信されると、ＧＭＳＣ １１４は、ＵＥのロケーションを決定し、呼出を、そのロケーションにサービスしている特定のＭＳＣに転送するためにＨＬＲ １１５に問い合わせをする。
【００２０】
[0026]  図示されたコアネットワーク１０４はまた、サービングＧＰＲＳサポートノード（ＳＧＳＮ）１１８およびゲートウェイＧＰＲＳサポートノード（ＧＧＳＮ）１２０とのパケット交換データサービスをサポートする。汎用パケット無線サービス（ＧＰＲＳ）は、標準的な回線交換データサービスで利用可能なものよりも速いスピードでパケットデータサービスを提供するように設計される。ＧＧＳＮ １２０は、パケットベースのネットワーク１２２に対してのＵＴＲＡＮ １０２に接続を提供する。パケットベースのネットワーク１２２は、インターネット、プライベートデータネットワーク、またはいくつかの他の適切なパケットベースのネットワークであり得る。ＧＧＳＮ １２０の主要機能は、パケットベースのネットワークの接続性をＵＥ １１０に提供することである。データパケットは、主に、ＭＳＣ １１２が回線交換領域において実行する機能と同様の機能をパケットベースの領域で実行する、ＳＧＳＮ １１８を通してＧＧＳＮ １２０とＵＥ １１０との間で転送され得る。
【００２１】
[0027]  図２は、処理システム１１４を用いる装置２００のためのハードウェア実装の例を図示する概念図である。本開示の様々な態様に従って、エレメントまたはエレメントの任意の一部、あるいはエレメントの任意の組み合わせは、１つまたは複数のプロセッサ２０４を含む処理システム２１４を用いて実装され得る。プロセッサの例２０４は、本開示を通して説明される様々な機能を行うように構成された、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、および他の適切なハードウェアを含む。
【００２２】
[0028]  処理システム２１４は、一般に、バス２０２によって表されるバスアーキテクチャを用いて実装され得る。バス２０２は、処理システム２１４の特定の用途と全体的な設計の制約に依存して、任意の数の相互接続バスおよびブリッジを含み得る。バス２０２は、１つ以上のプロセッサ（プロセッサ２０４によって一般に表される）、メモリ２０５、およびコンピュータ読取可能な媒体（コンピュータ読取可能な媒体２０６によって一般に表される）、およびＳＩＭモバイル機器（ＳＩＭ−ＭＥ）インターフェース２１６を含む様々な回路を互いにリンクする。バス２０２はまた、タイミングソース、周辺機器、電圧レギュレータ、および電力管理回路などの様々な他の回路をリンクすることができ、これらは、当該技術分野において周知であり、従って、これ以上は説明されない。バスインターフェース２０８はトランシーバ２１０などの通信インターフェースとバス２０２との間のインターフェースを提供する。トランシーバ１１０は、通信媒体を介して様々な他の装置と通信する手段を提供する。装置の性質に依存して、ユーザインターフェース２１２（例えば、キーパッド、ディスプレイ、スピーカー、マイクロフォン、ジョイスティック）もまた提供され得る。
【００２３】
[0029]  プロセッサ２０４は、バス２０２の管理、およびコンピュータ読取可能な媒体２０６に記憶されたソフトウェア２０７の実行を含む一般的な処理を担う。このソフトウェアは、プロセッサ２０４によって実行されるとき、処理システム２１４に、任意の特定の装置に関して下記で説明される様々な機能を行わせる。コンピュータ読取可能な媒体２０６はまた、ソフトウェアを実行するとき、プロセッサ２０４によって操作されるデータを記憶するために使用され得る。
【００２４】
[0030]  処理システムにおける１つまたは複数のプロセッサ２０４は、ソフトウェア（例えば、２０７）を実行し得る。ソフトウェアは、ソフトウェア、ファームウェア、ミドルウェア、マイクロコード、ハードウェア記述言語と称される場合も、それ以外の名称で称される場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されるだろう。ソフトウェアは、コンピュータ読取可能な媒体２０６に存在し得る。コンピュータ読取可能な媒体２０６は、非一時的なコンピュータ読取可能な媒体であり得る。非一時的なコンピュータ読取可能な媒体は、例として、コンピュータによってアクセスおよび読取可能なソフトウェアおよび／または命令を記憶するための、磁気記憶デバイス（例えば、ハードディスク、フロッピー（登録商標）ディスク、磁気ストリップ）、光学ディスク（例えば、コンパクトディスク（ＣＤ）、またはデジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および任意の他の適切な媒体を含む。コンピュータ読取可能な媒体２０６は、処理システム２１４の内部、処理システム２１４の外部に存在するか、または処理システム２１４を含む複数のエンティティにわたって分散され得る。コンピュータ読取可能な媒体２０６は、コンピュータプログラム製品において具現化され得る。例として、コンピュータプログラム製品は、パッケージング材料内のコンピュータ読取可能な媒体を含み得る。当業者は、システム全体に課された特定の用途および全体的な設計の制約に依存して、本開示全体を通して提示される、説明される機能をどのように実現することが最善かを認識するだろう。
【００２５】
[0031]  様々な態様では、装置２００は、ワイヤレスネットワークにアクセスするためにＳＩＭ ２１８を備えるＵＥとして具現化され得る。一態様では、ＳＩＭ ２１８は、ＵＭＴＳネットワークにアクセスするためにＵＳＩＭアプリケーションを有するＵＩＣＣ１１１であり得る。ＵＥ ２００は、ＳＩＭ−ＭＥインターフェース２１６を介してＳＩＭ ２１８と通信する。一態様では、例としてＳＩＭ ２１８は、カードアプリケーションツールキッド（ＣＡＴ：Card Application Toolkit）を有するＵＩＣＣであり得る。ＣＡＴは、ＵＥと通信するためのメカニズムをＳＩＭ ２１８に提供する一般的なコマンドおよびプロシージャのセットである。いくつかの一般的に知られるＣＡＴのメカニズムの例は、プロファイルダウンロード、プロアクティブＵＩＣＣコマンド（proactive UICC commands）、およびエンベロープコマンドを含む。ＣＡＴにおける追加の情報は、例えば、参照によって本明細書に組み込まれる、ＥＴＳＩ発行のＴＳ １０２ ２２３ Ｖ４.３.０技術仕様書から利用可能である。
【００２６】
[0032]  エンベロープコマンドは、ＵＥがＳＩＭにイベントおよびアップデートに関する情報を提供するためのメカニズムを提供する。例えば、全ての呼設定の試みについて、ＵＥは、第１にＳＩＭに呼設定の詳細を渡し、ＥＮＶＥＬＯＰＥ（ＣＡＬＬ ＣＯＮＴＲＯＬ）コマンドを使用する。別の例では、ＵＥがモニタリングするためのイベントのセットは、適切なプロアクティブコマンドを使用して、ＳＩＭによってＵＥへ供給され得る。そのセットの一部であるイベントが次に起こる際に、ＵＥは、適切なＥＮＶＥＬＯＰＥコマンドを使用してＳＩＭに通知する。これらのイベントの制限されない例は、モバイル着信（ＭＴ：mobile terminated）呼イベント、呼接続イベント、呼切断イベント、ロケーションステータスイベント、ユーザアクティビティイベント、待ち受け画面利用可能イベント、カードリーダステータスイベント、言語選択イベント、ブラウザ終了イベント、データ利用可能イベント、チャネルステータスイベント、アクセス技術変更イベント、ディスプレイパラメータ変更イベント、およびローカル通信イベントを含む。しかしながら、本開示は、それらに限定されるものではない。
【００２７】
[0033]  複数のイベントアップデートが発生するとき、これらは、これらの発生の順序でＳＩＭに送信され得る。ＳＩＭがビジーであり応答できない場合、イベントアップデートは、ＵＥにおいて待ち行列に置かれ得る。例えば、待ち行列は、メモリ２０５に位置付けられ得る。待ち行列にいくつかのアップデートがあるとき、他よりもより高いタイムセンシティビティを有するいくつかのアップデートがあり得る。例えば、呼制御イベント（例えば、呼接続イベントまたは呼切断イベント）は、一般に、言語選択イベントのものよりも高いタイムセンシティビティを有する。しかしながら、従来の技術では、イベントアップデートは、一般に、イベントが時間内に発生するのと同じ順序で待ち行列に格納される。すなわち、従来のシステムでは、これらのアップデートの関連する優先度またはタイムセンシティビティの割当がないため、エンベロープコマンドに搬送される全てのアップデートは、それらが受信された順序で処理される。
【００２８】
[0034]  本開示の態様に従って、エンベロープアップデートのためのスケジューリングメカニズムが提供される。エンベロープアップデートは、様々なファクタに基づいて複数のカテゴリにグループ分けされ、ＵＥは、それらの優先度の順序で、アップデートをＳＩＭに送信する。例えば、より高い優先度のアップデートまたはタイムセンシティブな（time-sensitive）アップデートは、それらが、他のより低い優先度のアップデートの処理に起因して起こりうる遅延のために余計に待つ必要がないように、第１にＳＩＭに送信されることができる。図３は、本開示のある態様に従った、優先度に基づく多数のイベントアップデートのスケジューリングを概念的に図示する図である。図３を参照すると、ＵＥ（例えば、ＵＥ ２００）は、順に発生する多数のエンベロープアップデート３０２、３０４、３０６、３０８、および３１０を受信する。一態様では、ＵＥは、それらのそれぞれの優先度に基づいて、イベントアップデートを再順序付けし得る。例えば、ＵＥは、優先度に基づいて、ＳＩＭ（例えば、ＳＩＭ ２１８）にアップデートを送信するために、待ち行列３１２を利用し得る。待ち行列３１２では、アップデート２は、アップデートの中で最も高い優先度を有し、アップデート３は最も低い優先度を有している。ＳＩＭがビジーであり新規のアップデートを受け入れることができない場合、アップデートは、一時的に待ち行列３１２に格納され得る。その後、ＳＩＭがイベントアップデートを処理するのに自由であるときに、ＵＥは、それらのそれぞれの優先度に基づいて、待ち行列３１２において、アップデートをＳＩＭに送信する。従ってタイムセンシティブなアップデートは、よりタイムセンシティブでない、待ち行列にある他のアップデートより先にＳＩＭに送信され得る。
【００２９】
[0035]  図４は、一態様に従った、イベントアップデートグループの例と、それらの関連する優先度を図示する図である。一旦アップデートが受信され、ＵＥ（例えば、ＵＥ２００）によってそのカテゴリが決定されると、それは、適切な優先度の順序に従って、ＳＩＭ（例えば、ＳＩＭ ２１８）に送信され得る。図４を参照すると、イベントアップデートは、取得に関連するグループ４０２、ＵＩインタラクションに関連するグループ４０４、ネットワークインタラクションに関連するグループ４０６、ネットワークステータスに関連するグループ４０８、および他のアップデートのグループ４１０などの５つのグループにグループ分けされ得る。図４では、アップデートのための優先度の順序は、下記のように高い優先度から低い優先度へと配置される：取得に関連するもの、ＵＩインタラクションに関連するもの、ネットワークインタラクションに関連するもの、ネットワークステータス関連に関連するもの、および他のアップデート。しかしながら、本開示は、図４のグループおよび優先度に制限されない。様々な態様では、他のグループ分けおよび優先度が使用され得る。いくつかの態様では、各グループ内のアップデートのための優先度の順序は、サブグループに優先順位付けされる。
【００３０】
[0036]  取得に関連するグループ４０２は、呼設定のための呼制御およびアタッチ制御などのイベントアップデートを含み得る。ＵＩインタラクションに関連するグループ４０４は、メニュー選択および言語選択などのイベントアップデートを含み得る。ネットワークインタラクションに関連するグループ４０６は、ＳＭＳポイント・ツー・ポイント（ＳＭＳ−ＰＰ）ダウンロード、呼接続イベント、呼切断イベント、モバイル着信（ＭＴ）呼イベント、ＳＩＭカードによって開始される、埋め込まれたデータ呼に利用可能なデータ、およびＳＩＭカードによって開始される、埋め込まれたデータ呼のステータスのためのチャネルステータスイベントなどのイベントアップデートを含み得る。ネットワークステータスに関連するグループ４０８は、アクセス技術変更イベント、およびロケーションステータスイベント（例えば、通常のサービス、制限されたサービス、およびサービスがないこと（no service）を含む、サービスステータス）などのイベントアップデートを含み得る。他のアップデートグループ４１０（例えば、第１のグループ）は、ブラウジングステータスイベントおよびフレーム情報変更イベントなどのイベントアップデートを含み得る。しかしながら、本開示は、これらのグループ分けおよびイベントに制限されない。様々な態様では、他のイベントおよびグループ分けが使用され得る。
【００３１】
[0037]  図５は、エンベロープコマンドにおけるイベントアップデートが優先順位付けされる、ユーザ機器において動作可能なワイヤレス通信の方法５００を図示するフローチャートである。図５を参照すると、ブロック５０２では、ＵＥ（例えば、ＵＥ ２００）は、１つ以上のエンベロープコマンドにおいてＳＩＭ（例えば、ＳＩＭ ２１８）に通信されるべき複数のイベントアップデートを受信または生成する。ブロック５０４では、ＵＥは、アップデートを、それぞれの優先度を有する多数のグループまたはカテゴリに分類する。例えば、アップデートは、取得に関連するグループ４０２、ＵＩインタラクションに関連するグループ４０４、ネットワークインタラクションに関連するグループ４０６、ネットワークステータスに関連するグループ４０８、および他のアップデートグループ４１０にグループ分けされ得る。しかしながら、他のグループ分けが使用され得る。ブロック５０６では、ＵＥは、アップデートのそれぞれの優先度に従った順序で、アップデートをＳＩＭに送信する。より多くのアップデートが処理され、ＳＩＭに通信される場合、方法は、ブロック５０２へと戻り、繰り返され得る。
【００３２】
[0038]  いくつかの場合には、アップデートの受信順序は、アップデートの送信順序とは異なる。図６は、一態様に従った、優先順位付けされたアップデートの処理のプロセス６００を図示するフローチャートである。図６を参照すると、ブロック６０２では、ＵＥ（例えば、ＵＥ ２００）は、第１のアップデートと、第１のアップデートの後に受信された第２のアップデートとを含む、多数のアップデートを受信し得る。ブロック６０４では、第１および第２のアップデートの関連する優先度が決定される。第２のアップデートが第１のアップデートのものよりも高い優先度を有する際に、プロセスは、ブロック６０６へと続く。しかしながら、第１のアップデートが第２のアップデートのものよりも高い優先度を有する際に、プロセスは、ブロック６０８へと続く。ブロック６０６では、ＵＥは、第１のアップデートを送信する前に、ＳＩＭ（例えば、ＳＩＭ ２１８）に第２のアップデートを送信する。しかしながら、ブロック６０８では、ＵＥは、第２のデータを送信する前に、第１のアップデートをＳＩＭに送信する。
【００３３】
[0039]  図７は、ワイヤレス通信のための装置７００の機能的ブロック図である。１つの構成では、図７で図示されるように、ワイヤレス通信のための装置７００（例えば、ＵＥ ２００）は、１つ以上のエンベロープコマンドにおいて複数のアップデートを受信するための手段７０２と、アップデートを、それぞれの優先度を有する複数のグループに分類するための手段７０４と、それぞれの優先度に従った順序で、装置においてアップデートをＳＩＭ（例えば、ＳＩＭ ２１８）に送信するための手段７０６と、を含み得る。一態様では、前述の手段は、前述の手段によって記載される機能を実行するように構成される、図２にある発明のプロセッサ２０４であり得る。別の態様において、上述された手段は、上述された手段によって記載された機能を実行するように構成されるモジュールまたは任意の装置であり得る。
【００３４】
[0040]  電気通信システムのいくつかの態様は、Ｗ−ＣＤＭＡシステムに関連して提示されている。当業者が容易に理解し得るように、様々な態は、本開示が他の電気通信システム、ネットワークアーキテクチャ、および通信規格にまで拡大され得ることを通して説明される。
【００３５】
[0041]  例として、様々な態様は、ＴＤ−ＳＣＤＭＡおよびＴＤ−ＣＤＭＡなどの他のＵＭＴＳシステムにまで拡大され得る。様々な態様はまた、ロングタームエボリューション（ＬＴＥ）（ＦＤＤ、ＴＤＤ、またはそれら両方のモード）、ＬＴＥアドバンスト（ＬＴＥ−Ａ）（ＦＤＤ、ＴＤＤ、またはそれら両方のモード）、ＣＤＭＡ２０００、エボリューションデータオプティマイズド（ＥＶ−ＤＯ）、ウルトラモバイルブロードバンド（ＵＭＢ）、ＩＥＥＥ ８０２. １１（Ｗｉ−Ｆｉ（登録商標））、ＩＥＥＥ ８０２. １６（ＷｉＭＡＸ（登録商標））、ＩＥＥＥ ８０２. ２０、ウルトラワイドバンド（ＵＷＢ）、Ｂｌｕｅｔｏｏｔｈ（登録商標）、および／または他の適切なシステムを用いたシステムにまで拡大され得る。用いられる実際の電気通信規格、ネットワークアーキテクチャ、および／または通信規格は、システムに課された特定のアプリケーションおよび設計制約に依存するだろう。
【００３６】
[0042]  開示された方法におけるステップの特定の順序または階層は、例示的プロセスの図であると理解されるべきである。設計の選好に基づいて、これらの方法におけるステップの特定の順序または階層は並べ替えられ得ることが理解されるべきである。添付の方法の請求項は、本明細書に特に記載されない限り、サンプルの順序において、様々なステップのエレメントを表し、表された特定の順序または階層に限定されることが意図されるものではない。
【００３７】
[0043]  先の説明は、いずれの当業者も、本明細書に説明される様々な態様を実現することを可能にするために提供される。これらの態様への様々な修正は、当業者にとって容易に明らかとなり、本明細書に定義された一般的な原理は、他の態様に適用され得る。よって、請求項は、本明細書に示された態様に限定されることを意図するものではなく、請求項の記載と一致する全範囲を付与されるべきものであり、単数形でのエレメントへの言及は、そうであると明確に記載されない限り、「１つ、および１つのみ」を意味することが意図されるものではなく、「１つまたは複数」を意味するものとする。そうでないと明確に記載されない限り、「いくつかの」という用語は、１つ以上のことを指している。項目のリストのうちの「少なくとも１つの」に言及するフレーズは、単一のエレメントを含む、それらの項目のうちの任意の組み合わせに言及するものである。例として、「ａ、ｂ、またはｃのうちの少なくとも１つ」は、「ａ、ｂ、ｃ、ａおよびｂ、ａおよびｃ、ｂおよびｃ、ａ、ｂ、およびｃ」を含むことが意図される。当業者に対して既知である、あるいは後に既知となる、本開示を通して説明された様々な態様のエレメントに対する全ての構造的および機能的な均等物は、参照によって本明細書に明示的に組み込まれ、請求項によって包含されることが意図される。さらに、本明細書で開示されたものはどれも、そのような開示が請求項において明示的に記載されているかどうかに関わらず、公共に寄与されることが意図されるものではない。請求項のどのエレメントも、そのエレメントが「〜のための手段」という語句を使用して明確に記載されない限り、または方法の請求項の場合には、そのエレメントが「〜するためのステップ」という語句を使用して記載されない限り、米国特許法第１１２条第６段落の規定のもとで解釈されるべきではない。
【図１】
2019009795.tif 000003
【図２】
2019009795.tif 000004
【図３】
2019009795.tif 000005
【図４】
2019009795.tif 000006
【図５】
2019009795.tif 000007
【図６】
2019009795.tif 000008
【図７】
2019009795.tif 000009
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
モバイルデバイスにおいて動作可能なワイヤレス通信の方法であって、前記方法は、
１つ以上のエンベロープコマンドにおいて複数のアップデートを受信することと、
前記アップデートを、それぞれの優先度を有する複数のグループに分類することと、
前記それぞれの優先度に従った順序で、前記モバイルデバイスにおいて前記アップデートをＳＩＭに送信することと
を備える、方法。
【手続補正２】
【補正対象書類名】明細書
【補正対象項目名】００３７
【補正方法】変更
【補正の内容】
【００３７】
[0043]  先の説明は、いずれの当業者も、本明細書に説明される様々な態様を実現することを可能にするために提供される。これらの態様への様々な修正は、当業者にとって容易に明らかとなり、本明細書に定義された一般的な原理は、他の態様に適用され得る。よって、請求項は、本明細書に示された態様に限定されることを意図するものではなく、請求項の記載と一致する全範囲を付与されるべきものであり、単数形でのエレメントへの言及は、そうであると明確に記載されない限り、「１つ、および１つのみ」を意味することが意図されるものではなく、「１つまたは複数」を意味するものとする。そうでないと明確に記載されない限り、「いくつかの」という用語は、１つ以上のことを指している。項目のリストのうちの「少なくとも１つの」に言及するフレーズは、単一のエレメントを含む、それらの項目のうちの任意の組み合わせに言及するものである。例として、「ａ、ｂ、またはｃのうちの少なくとも１つ」は、「ａ、ｂ、ｃ、ａおよびｂ、ａおよびｃ、ｂおよびｃ、ａ、ｂ、およびｃ」を含むことが意図される。当業者に対して既知である、あるいは後に既知となる、本開示を通して説明された様々な態様のエレメントに対する全ての構造的および機能的な均等物は、参照によって本明細書に明示的に組み込まれ、請求項によって包含されることが意図される。さらに、本明細書で開示されたものはどれも、そのような開示が請求項において明示的に記載されているかどうかに関わらず、公共に寄与されることが意図されるものではない。請求項のどのエレメントも、そのエレメントが「〜のための手段」という語句を使用して明確に記載されない限り、または方法の請求項の場合には、そのエレメントが「〜するためのステップ」という語句を使用して記載されない限り、米国特許法第１１２条第６段落の規定のもとで解釈されるべきではない。
以下に、本願出願の当初の特許請求の範囲に記載された発明を付記する。
［Ｃ１］
モバイルデバイスにおいて動作可能なワイヤレス通信の方法であって、前記方法は、
１つ以上のエンベロープコマンドにおいて複数のアップデートを受信することと、
前記アップデートを、それぞれの優先度を有する複数のグループに分類することと、
前記それぞれの優先度に従った順序で、前記モバイルデバイスにおいて前記アップデートをＳＩＭに送信することと
を備える、方法。
［Ｃ２］
前記アップデートの受信順序は、前記アップデートの送信順序とは異なる、Ｃ１に記載の方法。
［Ｃ３］
前記複数のアップデートは、第１のアップデートと、前記第１のアップデートの後に受信された第２のアップデートとを備え、前記第２のアップデートは、前記第１のアップデートのものよりも高い優先度を有し、
前記アップデートを前記送信することは、前記第１のアップデートを前記ＳＩＭに送信する前に、前記第２のアップデートを送信することを備える、
Ｃ２に記載の方法。
［Ｃ４］
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、Ｃ１に記載の方法。
［Ｃ５］
前記アップデートを前記分類することは、前記取得に関連するグループ、前記ＵＩインタラクションに関連するグループ、前記ネットワークインタラクションに関連するグループ、前記ネットワークステータスに関連するグループ、および前記第１のグループの順序で、最も高いものから最も低いものへと前記グループの前記優先度を分類することを備える、Ｃ４に記載の方法。
［Ｃ６］
前記取得に関連するグループにおける前記アップデートは、呼設定のための呼制御と、アタッチ制御とを備える、Ｃ４に記載の方法。
［Ｃ７］
前記ＵＩインタラクションに関連するグループにおける前記アップデートは、メニュー選択と、言語選択とを備える、Ｃ４に記載の方法。
［Ｃ８］
前記ネットワークインタラクションに関連するグループにおける前記アップデートは、
ＳＭＳポイント・ツー・ポイントダウンロードイベントと、
呼接続イベントと、
呼切断イベントと、
モバイル着信呼イベントと、
ＳＩＭカードによって開始される、埋め込まれたデータ呼に利用可能なデータと、
ＳＩＭカードによって開始される、埋め込まれたデータ呼のステータスのためのチャネルステータスイベントと
を備える、Ｃ４に記載の方法。
［Ｃ９］
前記ネットワークステータスに関連するグループにおける前記アップデートは、アクセス技術変更イベントと、ロケーションステータスイベントとを備える、Ｃ４に記載の方法。
［Ｃ１０］
前記ロケーションステータスイベントは、通常のサービス、制限されたサービス、およびサービスがないことを備える、Ｃ９に記載の方法。
［Ｃ１１］
前記第１のグループは、ブラウジングステータスイベントと、フレーム情報変更イベントとを備える、Ｃ４に記載の方法。
［Ｃ１２］
ワイヤレス通信のための装置であって、
１つ以上のエンベロープコマンドにおいて複数のアップデートを受信するための手段と、
前記アップデートを、それぞれの優先度を有する複数のグループに分類するための手段と、
前記それぞれの優先度に従った順序で、前記装置において前記アップデートをＳＩＭに送信するための手段と
を備える、装置。
［Ｃ１３］
前記装置は、前記アップデートの受信順序が前記アップデートの送信順序とは異なるように構成される、Ｃ１２に記載の装置。
［Ｃ１４］
前記複数のアップデートは、第１のアップデートと、前記第１のアップデートの後に受信された第２のアップデートとを備え、前記第２のアップデートは、前記第１のアップデートのものよりも高い優先度を有し、
前記アップデートを前記送信するための手段は、前記第１のアップデートを前記ＳＩＭに送信する前に、前記第２のアップデートを送信するように構成される、
Ｃ１３に記載の装置。
［Ｃ１５］
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、Ｃ１２に記載の装置。
［Ｃ１６］
前記装置は、
前記取得に関連するグループ、前記ＵＩインタラクションに関連するグループ、前記ネットワークインタラクションに関連するグループ、前記ネットワークステータスに関連するグループ、および前記第１のグループ
の順序で、最も高いものから最も低いものへと前記グループの前記優先度を分類するように構成される、Ｃ１５に記載の装置。
［Ｃ１７］
前記取得に関連するグループにおける前記アップデートは、呼設定のための呼制御と、アタッチ制御とを備える、Ｃ１５に記載の装置。
［Ｃ１８］
前記ＵＩインタラクションに関連するグループにおける前記アップデートは、メニュー選択と、言語選択とを備える、Ｃ１５に記載の装置。
［Ｃ１９］
前記ネットワークインタラクションに関連するグループにおける前記アップデートは、
ＳＭＳポイント・ツー・ポイントダウンロードイベントと、
呼接続イベントと、
呼切断イベントと、
モバイル着信（ＭＴ）呼イベントと、
ＳＩＭカードによって開始される、埋め込まれたデータ呼に利用可能なデータと、
ＳＩＭカードによって開始される、埋め込まれたデータ呼のステータスのためのチャネルステータスイベントと
を備える、Ｃ１５に記載の装置。
［Ｃ２０］
前記ネットワークステータスに関連するグループにおける前記アップデートは、アクセス技術変更イベントと、ロケーションステータスイベントとを備える、Ｃ１５に記載の装置。
［Ｃ２１］
前記ロケーションステータスイベントは、通常のサービス、制限されたサービス、およびサービスがないことを備える、Ｃ２０に記載の装置。
［Ｃ２２］
前記第１のグループは、ブラウジングステータスイベントと、フレーム情報変更イベントとを備える、Ｃ１５に記載の装置。
［Ｃ２３］
コンピュータ読取可能な記憶媒体を備えるコンピュータプログラム製品であって、前記コンピュータ読取可能な記憶媒体は、モバイルデバイスに、
１つ以上のエンベロープコマンドにおいて複数のアップデートを受信することと、
それぞれの優先度を有する複数のグループに前記アップデートを分類することと、
前記それぞれの優先度に従った順序で、前記モバイルデバイスにおいて前記アップデートをＳＩＭに送信することと
を行わせるためのコードを備える、コンピュータプログラム製品。
［Ｃ２４］
前記アップデートの受信順序は、前記アップデートの送信順序とは異なる、Ｃ２３に記載のコンピュータプログラム製品。
［Ｃ２５］
前記複数のアップデートは、第１のアップデートと、前記第１のアップデートの後に受信された第２のアップデートとを備え、前記第２のアップデートは、前記第１のアップデートのものよりも高い優先度を有し、
前記アップデートを前記送信することは、前記第１のアップデートを前記ＳＩＭに送信する前に、前記第２のアップデートを送信することを備える、
Ｃ２４に記載のコンピュータプログラム製品。
［Ｃ２６］
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、Ｃ２３に記載のコンピュータプログラム製品。
［Ｃ２７］
前記コードは、前記ＵＥに、
前記取得に関連するグループ、前記ＵＩインタラクションに関連するグループ、前記ネットワークインタラクションに関連するグループ、前記ネットワークステータスに関連するグループ、および前記第１のグループ
の順序で、最も高いものから最も低いものへと前記グループの前記優先度を分類することを行わせる、Ｃ２６に記載のコンピュータプログラム製品。
［Ｃ２８］
前記取得に関連するグループにおける前記アップデートは、呼設定のための呼制御と、アタッチ制御とを備える、Ｃ２６に記載のコンピュータプログラム製品。
［Ｃ２９］
前記ＵＩインタラクションに関連するグループにおける前記アップデートは、メニュー選択と、言語選択とを備える、Ｃ２６に記載のコンピュータプログラム製品。
［Ｃ３０］
前記ネットワークインタラクションに関連するグループにおける前記アップデートは、
ＳＭＳ−ＰＰダウンロードイベントと、
呼接続イベントと、
呼切断イベントと、
モバイル着信呼イベントと、
ＳＩＭカードによって開始される、埋め込まれたデータ呼に利用可能なデータと、
ＳＩＭカードによって開始される、埋め込まれたデータ呼のステータスのためのチャネルステータスイベントと
を備える、Ｃ２６に記載のコンピュータプログラム製品。
［Ｃ３１］
前記ネットワークステータスに関連するグループにおける前記アップデートは、アクセス技術変更イベントと、ロケーションステータスイベントとを備える、Ｃ２６に記載のコンピュータプログラム製品。
［Ｃ３２］
前記ロケーションステータスイベントは、通常のサービス、制限されたサービス、およびサービスがないことを備える、Ｃ３１記載のコンピュータプログラム製品。
［Ｃ３３］
前記第１のグループは、ブラウジングステータスイベントと、フレーム情報変更イベントとを備える、Ｃ２６に記載のコンピュータプログラム製品。
［Ｃ３４］
ワイヤレス通信のための装置であって、
少なくとも１つのプロセッサと、
前記少なくとも１つのプロセッサに結合された通信インターフェースと、
前記少なくとも１つのプロセッサに結合されたメモリと
を備え、
前記少なくとも１つのプロセッサは、１つ以上のエンベロープコマンドにおいて複数のアップデートを受信することと、前記アップデートを、それぞれの優先度を有する複数のグループに分類することと、前記それぞれの優先度に従った順序で、前記装置において前記アップデートをＳＩＭに送信することと
を行うように構成される、装置。
［Ｃ３５］
前記少なくとも１つのプロセッサは、前記アップデートの送信順序とは異なる受信順序で前記アップデートを受信するように構成される、Ｃ３４に記載の装置。
［Ｃ３６］
前記複数のアップデートは、第１のアップデートと、前記第１のアップデートの後に受信された第２のアップデートとを備え、前記第２のアップデートは、前記第１のアップデートのものよりも高い優先度を有し、
前記少なくとも１つのプロセッサは、前記第１のアップデートを前記ＳＩＭに送信する前に、前記第２のアップデートを送信するように構成される、
Ｃ３５に記載の装置。
［Ｃ３７］
前記複数のグループは、取得に関連するグループ、ユーザインターフェース（ＵＩ）インタラクションに関連するグループ、ネットワークインタラクションに関連するグループ、ネットワークステータスに関連するグループ、または第１のグループのうちの１つ以上を備える、Ｃ３４に記載の装置。
［Ｃ３８］
前記少なくとも１つのプロセッサは、
前記取得に関連するグループ、前記ＵＩインタラクションに関連するグループ、前記ネットワークインタラクションに関連するグループ、前記ネットワークステータスに関連するグループ、および前記第１のグループ
の順序で、最も高いものから最も低いものへと前記グループの前記優先度を分類するように構成される、Ｃ３７に記載の装置。
［Ｃ３９］
前記取得に関連するグループにおける前記アップデートは、呼設定のための呼制御と、アタッチ制御とを備える、Ｃ３７に記載の装置。
［Ｃ４０］
前記ＵＩインタラクションに関連するグループにおける前記アップデートは、メニュー選択と、言語選択とを備える、Ｃ３７に記載の装置。
［Ｃ４１］
前記ネットワークインタラクションに関連するグループにおける前記アップデートは、
ＳＭＳポイント・ツー・ポイントダウンロードイベントと、
呼接続イベントと、
呼切断イベントと、
モバイル着信呼イベントと、
ＳＩＭカードによって開始される、埋め込まれたデータ呼に利用可能なデータと、
ＳＩＭカードによって開始される、埋め込まれたデータ呼のステータスについてのチャネルステータスイベントと
を備える、Ｃ３７に記載の装置。
［Ｃ４２］
前記ネットワークステータスに関連するグループにおける前記アップデートは、アクセス技術変更イベントと、ロケーションステータスイベントとを備える、Ｃ３７に記載の装置。
［Ｃ４３］
前記ロケーションステータスイベントは、通常のサービス、制限されたサービス、およびサービスがないことを備える、Ｃ４２に記載の装置。
［Ｃ４４］
前記第１のグループは、ブラウジングステータスイベントと、フレーム情報変更イベントとを備える、Ｃ３７に記載の装置。
【外国語明細書】
2019009795000001.pdf